(57)【要約】【課題】  撮像装置では、撮像素子に対してノイズの影響を防ぐために、撮影前後で液晶表示パネルのオンオフを行うことにより、処理に時間が掛かることになり、次回撮影が可能となるまでにタイムラグが発生する。【解決手段】  撮像素子10と、撮像素子10で撮像された画像を表示させる表示装置4と、撮像素子10で撮像された画像データを記憶する記憶装置15とを有する撮像装置1において、表示装置4の駆動速度を司る表示制御用クロック信号の周波数を設定する周波数設定手段と、表示装置4を非表示状態にさせる処理及び再表示させる処理を行う一時非表示処理手段と、撮像素子10で撮像される画像の露光期間または、この露光期間で得られた画像データを記憶装置15に取り込む期間に上記一時非表示処理手段を作動させる表示制御手段と、を備え、上記表示制御手段が撮影時に上記一時非表示処理手段を作動させると共に、上記表示制御用クロック信号を停止させる。【選択図】  図３
2010288011.tif 000002
【特許請求の範囲】
【請求項１】
撮像素子と、該撮像素子で撮像された画像を表示させる表示装置と、前記撮像素子で撮像された画像データを記憶する記憶装置とを有する撮像装置において、
前記表示装置の駆動速度を司る表示制御用クロック信号の周波数を設定する周波数設定手段と、
前記表示装置を非表示状態にさせる処理及び再表示させる処理を行う一時非表示処理手段と、
前記撮像素子で撮像される画像の露光期間または、この露光期間で得られた画像データを前記記憶装置に取り込む期間に前記一時非表示処理手段を作動させる表示制御手段と、
を備え、
前記表示制御手段が撮影時に前記一時非表示処理手段を作動させると共に、前記表示制御用クロック信号を停止させることを特徴とする撮像装置。
【請求項２】
前記表示制御手段は、前記撮像素子で撮像される画像の露光期間と、この露光期間で得られた画像データを前記記憶装置に取り込む期間のうち、一方の期間だけ、前記一時非表示処理手段を作動させることを特徴とする請求項１に記載の撮像装置。
【請求項３】
前記表示制御手段は、前記撮像素子で撮像される画像の露光期間と、この露光期間で得られた画像データを前記記憶装置に取り込む期間の両方の期間で、前記一時非表示処理手段を作動させることを特徴とする請求項１に記載の撮像装置。
【請求項４】
前記表示制御手段は、前記一時非表示処理手段を作動させるとき、前記周波数設定手段を制御して前記表示制御用クロック信号の周波数を高くすることを特徴とする請求項１乃至請求項３の何れか１つに記載の撮像装置。
【請求項５】
前記一時非表示処理手段は、非表示状態にさせる処理として電荷放電処理を行うことを特徴とする請求項１乃至請求項４の何れか１つに記載の撮像装置。
【請求項６】
前記一時非表示処理手段は、再表示させる処理としてクロックの安定化と通信プロトコルの確立を行うことを特徴とする請求項１乃至請求項５の何れか１つに記載の撮像装置。
【請求項７】
前記表示制御手段は、前記撮像素子で撮像される画像の露光期間または、この露光期間で得られた画像データを前記記憶装置に取り込む期間に、前記表示装置の電源供給を停止することなく、前記一時非表示処理手段を作動させることにより前記表示制御用クロック信号を停止させることを特徴とする請求項１に記載の撮像装置。
【請求項８】
撮像素子と、該撮像素子で撮像された画像を表示させる表示装置と、前記撮像素子で撮像された画像データを記憶する記憶装置とを有する撮像装置を制御するプログラムであって、
前記表示装置の駆動速度を司る表示制御用クロック信号の周波数を設定し、
前記表示装置を非表示状態にさせる処理及び再表示させる処理を行う一時非表示処理手段を制御して、前記撮像素子で撮像される画像の露光期間または、この露光期間で得られた画像データを前記記憶装置に取り込む期間に前記一時非表示処理手段を作動させ、
前記撮像装置による撮影時に前記一時非表示処理手段を作動させると共に、前記表示制御用クロック信号を停止させるように制御手段を作動させるマイクロコンピュータで読み取り可能なプログラム。
【発明の詳細な説明】
【技術分野】
【０００１】
本発明は、表示装置を備える撮像装置及びこの撮像装置を制御するプログラムに関する。
【背景技術】
【０００２】
今日、撮像装置においては、撮影した画像を背面等に設けられた画像表示部とされる液晶表示パネルに表示させることができる。また、この撮像装置では、撮影の準備段階においても撮像素子で画像を取り込み液晶表示パネルにスルー画面として表示させることにより、撮影者が撮影機会を逸することなく、撮影することができるようにし、更に携帯性及び使いやすさの観点から更に小型化、薄型化が進んでいる。ところで、撮像装置の薄型化が進むにつれて、ノイズの影響を受けやすい撮像素子とノイズ源を含む周辺回路との配置関係が接近することとなり撮像素子が取り込む画像に影響を及ぼす虞があった。
【０００３】
そこで下記に示す特許文献１には、撮影釦が押されて画像を保存させるにあたって、その液晶表示パネルの表示をオフ状態とすることにより、液晶表示パネル及び周辺回路から発生するノイズ源の影響を防ぐことができる撮像装置が開示されている。
【先行技術文献】
【特許文献】
【０００４】
【特許文献１】特開２００８−７２３２６号公報
【発明の概要】
【発明が解決しようとする課題】
【０００５】
上記特許文献１に示す上記撮像装置では、ノイズ源の影響を防ぐことができる代わりに、撮影前後で液晶表示パネルのオンオフ処理を行うことにより、残留電荷の影響による異常表示等を防止しており、このための処理に要する時間が掛かり、スルー画像が表示されて次回撮影が可能となるまでにタイムラグが発生し、撮影者にストレスを感じさせるという課題があった。
【０００６】
本発明は上述したような従来技術の問題点に鑑みてなされたものであり、撮像素子がノイズ源の影響を受けないようにすると共に、撮影者に対してタイムラグによるストレスを感じさせない撮像装置を提供することを目的としている。
【課題を解決するための手段】
【０００７】
本発明は、撮像素子と、該撮像素子で撮像された画像を表示させる表示装置と、前記撮像素子で撮像された画像データを記憶する記憶装置とを有する撮像装置において、前記表示装置の駆動速度を司る表示制御用クロック信号の周波数を設定する周波数設定手段と、
前記表示装置を非表示状態にさせる処理及び再表示させる処理を行う一時非表示処理手段と、前記撮像素子で撮像される画像の露光期間または、この露光期間で得られた画像データを前記記憶装置に取り込む期間に前記一時非表示処理手段を作動させる表示制御手段と、を備え、前記表示制御手段が撮影時に前記一時非表示処理手段を作動させると共に、前記表示制御用クロック信号を停止させることを特徴とする。
【０００８】
また、前記表示制御手段は、前記撮像素子で撮像される画像の露光期間と、この露光期間で得られた画像データを前記記憶装置に取り込む期間のうち、一方の期間だけ、前記一時非表示処理手段を作動させることを特徴とする。
【０００９】
更に、前記表示制御手段は、前記撮像素子で撮像される画像の露光期間と、この露光期間で得られた画像データを前記記憶装置に取り込む期間の両方の期間で、前記一時非表示処理手段を作動させることを特徴とする。
【００１０】
そして、前記表示制御手段は、前記一時非表示処理手段を作動させるとき、前記周波数設定手段を制御して前記表示制御用クロック信号の周波数を高くすることを特徴とする。
【００１１】
また、前記一時非表示処理手段は、非表示状態にさせる処理として電荷放電処理を行うことを特徴とする。
【００１２】
更に、前記一時非表示処理手段は、再表示させる処理としてクロックの安定化と通信プロトコルの確立を行うことを特徴とする。
【００１３】
そして、前記表示制御手段は、前記撮像素子で撮像される画像の露光期間または、この露光期間で得られた画像データを前記記憶装置に取り込む期間に、前記表示装置の電源供給を停止することなく、前記一時非表示処理手段を作動させることにより前記表示制御用クロック信号を停止させることを特徴とする。
【発明の効果】
【００１４】
本発明によれば、撮像素子がノイズ源の影響を受けないようにすると共に、撮影者に対してタイムラグによるストレスを感じさせない撮像装置を提供することができる。
【図面の簡単な説明】
【００１５】
【図１】本発明に係る撮像装置の正面図である。
【図２】本発明に係る撮像装置の背面図である。
【図３】本発明に係る撮像装置の回路ブロック図である。
【図４】本発明に係る撮影シーケンスのフローチャートである。
【図５】本発明に係る撮影記録処理のフローチャートである。
【図６】本発明に係る撮像装置の液晶駆動シーケンスに関するタイムチャートである。
【発明を実施するための形態】
【００１６】
本発明を実施するための形態の撮像装置1は、撮像素子10と、撮像素子10で撮像された画像を表示させる表示装置4と、撮像素子10で撮像された画像データを記憶する記憶装置15とを有する撮像装置1において、表示装置4の駆動速度を司る表示制御用クロック信号の周波数を設定する周波数設定手段と、表示装置4を非表示状態にさせる処理及び再表示させる処理を行う一時非表示処理手段と、撮像素子10で撮像される画像の露光期間または、この露光期間で得られた画像データを記憶装置15に取り込む期間に上記一時非表示処理手段を作動させる表示制御手段と、を備え、上記表示制御手段が撮影時に、上記周波数設定手段を制御して上記表示制御用クロック信号の周波数を高くして、上記一時非表示処理手段を作動させると共に、上記表示制御用クロック信号を一旦停止させ、上記一時非表示処理手段は、非表示処理として電荷放電処理及びクロック安定化や通信プロトコルの確立の処理を行うものである。
【実施例】
【００１７】
以下、本発明の実施形態について図を用いて説明する。図１は、本発明に係る撮像装置1の正面図であり、図２は、本発明に係る撮像装置1の背面図である。
【００１８】
図１に示す撮像装置1は、撮像時には、カメラ筐体内部に収納されていたレンズ鏡筒が外部に繰り出す沈胴式のレンズユニット2を有するものである。また、撮像装置1は、フラッシュ3等を適宜配設しているものである。
【００１９】
そして図２に示すように、撮像装置1の背面には、液晶表示パネル等を用いた表示装置4、メニュー釦や各種機能を設定する設定釦等の各種釦7、方向キー6等を配設し、更に、撮像装置1の上面には、撮影釦5、及び図示しない電源釦や撮像モードと再生モードを切替える切替え釦等を適宜配設しているものである。
【００２０】
図３は、本発明の実施例に係る撮像装置1の回路ブロック図である。図３に示すように撮像装置1は、ＡＦ（自動焦点制御）、ＡＥ（自動露出制御）等の一般的な機能を備えたものであって、撮像手段である撮像素子10とＤＳＰ（Ｄｉｇｉｔａｌ  Ｓｉｇｎａｌ  Ｐｒｏｃｅｓｓｏｒ）及びＣＰＵ（Ｃｅｎｔｒａｌ  Ｐｒｏｃｅｓｓｉｎｇ  Ｕｎｉｔ）からなる制御部8とを有する。撮像素子10は、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等であって、図示しないフォーカスレンズ及びズームレンズを介して結像された被写体の光学像を光電変換し、被写体の光学像に応じたアナログの撮像信号をユニット回路12に送出し、ユニット回路12でデジタル撮像信号を形成する。
【００２１】
制御部8は、ＪＰＥＧ方式による画像データの圧縮、伸張を含む各種デジタル信号処理機能を有すると共に、撮像装置1の各部を制御するマイクロコンピュータである。
【００２２】
この制御部8には、撮像素子10を駆動するＴＧ（Ｔｉｍｉｎｇ  Ｇｅｎｅｒａｔｏｒ）と呼ばれるタイミング生成器11が接続されており、タイミング生成器11には、撮像素子10と撮像素子10から出力される撮像信号が入力されるユニット回路12とが接続される。
【００２３】
ユニット回路12は、入力した撮像信号をサンプリングして保持する部分と、その撮像信号を増幅するゲイン調整アンプと、増幅された撮像信号をデジタル撮像信号に変換するＡ／Ｄ変換器とから構成されており、撮像素子10の出力信号はユニット回路12を経てデジタル撮像信号として制御部8に送出される。
【００２４】
また、制御部8には、分周器20、表示制御部21、入力装置9及びレンズ駆動部13が接続されると共に、アドレスデータバス14を介して記憶装置15、内蔵フラッシュメモリ16及びカードインターフェース17が接続される。カードインターフェース17には、図示しないカメラ本体のカードスロットに着脱自在に装着されたメモリカード18が接続される。
【００２５】
レンズ駆動部13は、前記フォーカスレンズ及びズームレンズのそれぞれを光軸方向に駆動するためのステッピングモータと、それらを制御部8から送出される制御信号に応じて駆動させるモータドライバとから構成される。
【００２６】
記憶装置15は、ＤＲＡＭ等のメモリからなり、撮影時に撮像素子10によって撮像され、デジタル化された被写体の画像データを一時記憶するバッファであると共に、制御部8のワーキングメモリとして使用されることにより本発明の一時記憶手段として機能する。記憶装置15に一時記憶された画像データは圧縮され、最終的にはメモリカード18に保存される。
【００２７】
内蔵フラッシュメモリ16には、制御部8の動作プログラムや各部の制御に使用する各種データが記憶されている。又、制御部8は、表示制御手段を有し、表示制御部21と、表示制御用クロック信号を形成する分周器20とを制御する。
【００２８】
この制御部8は、内蔵フラッシュメモリ16に記憶された上記動作プログラムに従って動作することにより、撮影時にはレンズ駆動部13の駆動モータによるフォーカスレンズの自動焦点制御や、撮像素子10における電荷蓄積時間（露光時間）、及びユニット回路12のゲイン調整アンプのゲイン調整等による自動露出制御を行う。
【００２９】
そして、制御部8は、表示制御部21を介して表示装置4にスルー画像やメニュー画面を表示させると共に、撮影時に表示装置4である液晶表示パネルを非表示にさせるために、電源回路を駆動しながら表示制御用クロック信号を停止させる表示制御手段を有する。
また制御部8は、基本クロック19から出力される基本クロック信号を分周して生成される表示制御用クロック信号の周波数を設定するための、分周器20における周波数設定手段を制御する。
【００３０】
又、制御部8は表示制御部21を制御して表示制御手段における一時非表示処理手段を作動させて、液晶表示パネルの非表示にあたっての事前処理及び事後処理を行わせる。
【００３１】
表示装置4は、液晶表示パネルとバックライトとからなる。液晶表示パネルには、制御部8から適宜出力される画像データが、電源回路と駆動回路を有する表示制御部21を介して伝達されて表示される。液晶表示パネルには、撮影モードであれば、撮像素子10によって撮像された画像がスルー画像として表示され、再生モードであれば、メモリカード18から読み出され伸張された記録画像が表示される。バックライトは、液晶表示パネルの背面に位置する面光源の照明装置であり、表示制御部21による点灯、消灯処理により動作する。
【００３２】
基本クロック19は、撮像装置1のシステムの各部で使用される各種の周波数のクロック信号のクロック源である基本クロック信号を生成させる部分である。
【００３３】
分周器20は、基本クロック19で生成される基本クロック信号を制御部8により設定される表示制御用クロック信号の周波数とする周波数設定手段を含むものである。この分周器20の周波数設定手段により生成された表示制御用クロック信号が、表示制御部21が有する液晶表示パネルの駆動回路に出力される。そして、駆動回路は、入力された表示制御用クロック信号の周波数に基づいた処理速度により液晶表示パネルの表示制御を行う。
【００３４】
表示制御部21は、液晶表示パネルを駆動させる駆動回路及び電源回路を有し、制御部8により制御されて表示装置4を制御する。また、表示制御部21は、制御部8による制御により表示装置4のバックライトの点灯、消灯処理を行うものであって、一時非表示処理手段を含むものである。
【００３５】
従って、表示制御部21は、一時非表示処理手段として、撮影時に制御部8からスタンバイ要求を受信すると、液晶表示パネルの残留電荷による異常表示や画面焼きつき又は故障の発生などを防ぐために液晶表示パネルを非表示状態にさせる前段階として、セルに帯電された電荷を放電させる電荷放電処理を行う。そして、表示制御部21は、制御部8からのスタンバイ状態の解除要求を受信すると、液晶表示パネルを再表示させる前段階として一時非表示処理手段により、クロックの安定化、通信プロトコルの確立等の再表示処理を行うものである。
【００３６】
更に、制御部8は、スタンバイ状態の解除要求により液晶表示パネルを再表示するにあたって、表示制御部21の一時非表示処理手段による電荷放電処理や再表示処理を高速処理で実行させるために、分周器20により分周数を決定し、周波数設定手段により表示制御用クロック信号を形成する。又、制御部8は、液晶表示パネルの再表示処理が完了するのを受けて、液晶表示パネルに撮像された画像が表示されるタイミングに表示制御部21を制御することによりバックライトを点灯させる。
【００３７】
入力装置9は、図２に示した撮影釦、各種機能を設定する設定釦等の各種釦7、方向キー6以外にも複数の操作キーを含み、ユーザーによるキー操作に応じたキー入力信号を制御部8に送出する。
【００３８】
ここで、本発明における撮影シーケンスにおける一連の動作についてフローチャートを用いて説明する。図４は、本発明に係る撮影シーケンスのフローチャートであり、図５は、本発明に係る撮影記録処理のフローチャートである。
【００３９】
以下に、図４のステップＳ１０１からステップＳ１１１までをステップ順に実施例の撮影シーケンスの動作について説明し、更にステップＳ１０７の撮影記録処理について、図５のステップＳ１０７１からステップＳ１０７９までをステップ順に図３を併用しながら説明する。
【００４０】
撮影モードにおいて入力装置9における図示しない電源釦のオン操作により、撮像装置1の制御部8は起動処理（ステップＳ１０１）を開始する。制御部8は、液晶表示パネルを表示させるにあたって、周波数設定手段により、基本クロック19から出力される基本クロック信号を分周して生成される表示制御用クロック信号の周波数を液晶表示パネルの表示に最適な周波数である１５ＭＨｚに設定するためにクロック設定処理（ステップＳ１０２）を実行する。
【００４１】
次に、制御部8は、表示制御部21を制御して、液晶表示パネルを表示状態にさせる前段階として、液晶表示パネルの異常表示を防ぐための液晶表示パネルの初期設定処理（ステップＳ１０３）を実行させる。なお、液晶表示パネルの表示において、撮像装置1の起動直後における液晶表示パネルを表示させる際の初期設定では、電源回路の安定化、クロック信号の安定化及び通信プロトコルの確立等の処理を行う。
【００４２】
次に、制御部8は、表示制御部21を制御して液晶表示パネルの初期設定処理の完了後、バックライト点灯要求処理（ステップＳ１０４）を実行する。
【００４３】
制御部8は、液晶表示パネルの初期設定処理を受けて、撮像素子10により撮像された画像をスルー画像として液晶表示パネルに表示させるための表示処理（ステップＳ１０５）を実行する。
【００４４】
次に、制御部8は、入力処理（ステップＳ１０６）として入力装置9における撮影釦が押下されているかどうかを確認する。撮影釦が押下されていれば後述する撮影記録処理（ステップＳ１０７）に進み、押下されていなければ電源釦確認処理（ステップＳ１０８）に進む。
【００４５】
撮影記録処理が完了するか、又は撮影釦が押下されていなければ制御部8は、入力処理として電源釦の状態を確認する。制御部8は、電源釦がオン状態であればステップＳ１０５に戻って撮影待機状態を継続させ、電源釦がオフ状態であれば撮像装置1のシステムを終了させるためのスタンバイ要求処理（ステップＳ１０９）を実行する。
【００４６】
このスタンバイ要求処理において制御部8は、表示制御部21を制御して液晶表示パネルをスタンバイ状態とし、液晶表示パネルの残留電荷による画面焼きつきを防ぐために、セルに帯電された電荷を放電させる。次に制御部8は、表示制御手段により表示制御用クロック信号を停止させるためのクロック停止処理（ステップＳ１１０）を実行する。
【００４７】
そして、制御部8は、表示制御部21を制御して、液晶表示パネル駆動用の電源回路の停止処理（ステップＳ１１１）を実行させると共に、撮像装置1のシステム全体の終了処理を実行する。
【００４８】
又、前述のステップＳ１０７における撮影記録処理の詳細について、図５に示したフローチャートでステップＳ１０７１からステップＳ１０７９までをステップ順に図３と図４を併用しながら説明する。
【００４９】
制御部8は、ステップＳ１０６の入力処理における撮影釦の押下を受けて、撮影記録処理を開始する。先ず制御部8は、撮像素子10における露光を開始する前に表示装置4である液晶表示パネルを非表示状態にさせると共にバックライトを消灯させるために表示制御部21を制御してスタンバイ要求処理（ステップＳ１０７１）を実行する。
【００５０】
制御部8は、液晶表示パネルを非表示状態にさせるにあたって、周波数設定手段により、基本クロック19から出力される基本クロック信号を分周して生成される表示制御用クロック信号の周波数を液晶表示パネルの表示における最適な周波数である１５ＭＨｚから非表示処理を高速で行うための３０ＭＨｚに設定するための高速クロック設定処理（ステップＳ１０７２）を実行する。
【００５１】
表示制御部21は、入力される表示制御用クロック信号の周波数が３０ＭＨｚになることにより、一時非表示処理手段による電荷放電処理を高速で処理することができる。また、制御部8は、スタンバイ要求の後、電荷放電処理と合せて表示制御部21を制御してバックライトを消灯させる。
【００５２】
次に、制御部8は、表示制御部21の一時非表示処理手段による電荷放電処理の完了を受けて、表示制御手段により表示装置4である液晶表示パネルを非表示状態にさせるために表示制御用クロック信号を停止させるためのクロック停止処理（ステップＳ１０７３）を実行する。これにより、表示装置4である液晶表示パネルとバックライトとはそれぞれに駆動を停止する。
【００５３】
制御部8は、撮影釦の押下により、表示装置4の表示停止と合せて、撮像素子10による露光を開始し、露光完了後に蓄積されたデータの取り込みを開始する。制御部8は、画像データ保存処理（ステップＳ１０７４）として、取り込んだデータをＤＲＡＭ等からなる記憶装置15に保存させる。
【００５４】
制御部8は、画像データ保存処理（ステップＳ１０７４）を完了させると、液晶表示パネルを表示状態にさせるにあたって、周波数設定手段により、基本クロック19から出力される基本クロック信号を分周して生成される表示制御用クロック信号の周波数を、再表示処理が高速で実行できるように３０ＭＨｚに設定するための高速クロック設定処理（ステップＳ１０７５）を再度行う。
【００５５】
次に、制御部8は、表示制御部21を制御して、液晶表示パネルを表示状態にさせる前段階として一時非表示処理手段により、液晶表示パネルの異常表示を防ぐための液晶表示パネルの再表示処理（ステップＳ１０７６）を表示制御用クロック信号の３０ＭＨｚの周波数による処理速度で実行させる。この再表示処理は、液晶表示パネルを再表示させる前段階として一時非表示処理手段により、クロックの安定化、通信プロトコルの確立等を行うものである。
【００５６】
この再表示処理は、表示制御部21に入力される表示制御用クロック信号の周波数が３０ＭＨｚにされることにより、液晶表示パネルにスルー画像を表示するまでに要する処理時間として、クロック設定処理による処理時間と比較すると略半減させることができる。
【００５７】
次に、制御部8は、表示制御部21による液晶表示パネルの再表示処理の完了を受けて、液晶表示パネルを再表示させるにあたって、周波数設定手段により、基本クロック19から出力される基本クロック信号を分周して生成される表示制御用クロック信号の周波数を液晶表示パネルの表示に最適な周波数である１５ＭＨｚに設定するためのクロック設定処理（ステップＳ１０７７）を実行する。
【００５８】
次に制御部8は、表示制御部21により液晶表示パネルによる画像表示を再開させると共に、バックライト点灯要求処理（ステップＳ１０７８）を実行し、表示制御部21を制御してバックライトを点灯させる。
【００５９】
制御部8は、表示装置4への駆動を再開させると共に、既に記憶装置15に保存された画像データを圧縮処理した上で、アドレスデータバス14及びカードインターフェース17を介してメモリカード18に保存させるためのデータ保存処理（ステップＳ１０７９）を実行する。
【００６０】
ここで先にフローチャートで説明した撮像装置1における表示装置4の制御に関して理解を容易にするためにタイムチャートを用いて説明する。図６は、本発明に係る撮像装置1の液晶駆動シーケンスに関するタイムチャートである。
【００６１】
図６（ａ）に示すように撮像装置1において、撮影釦が押下されてＣＣＤ露光及びデータの取り込みを実行する期間に表示制御用クロック信号を停止させることにより、先述の撮像素子10により撮像されて生成される画像データに対するノイズ源の影響を防ぐことができる。
【００６２】
なお、表示制御用クロック停止期間は、撮影時のシャッタータイムからなるＣＣＤ露光時間（図に示すＡ）とＣＣＤに蓄積された画像データの取り込みに要する時間（図に示すＢ）との和からなる。
【００６３】
そして、図６（ｂ）に示すように撮像装置1において、撮影釦が押下されると、先述の制御部8が先ず表示制御部21を制御してスタンバイ要求を実行させる。表示制御部21は、液晶表示パネルを非表示状態にさせる前段階として一時非表示処理手段により、液晶表示パネルの残留電荷による画面焼きつきを防ぐために、セルに帯電された電荷を放電させる。なお、電荷を放電させる処理時間は３[ＶＴ]である。
【００６４】
[ＶＴ]は液晶表示パネルの制御における垂直処理時間であり、表示制御部21に入力される表示制御用クロック信号の周波数と液晶表示パネルの画素数に応じてその垂直処理時間が算出され、例えば、周波数が１６ＭＨｚで、画素数が一般的な撮像装置1の液晶表示パネルを採用している場合であれば、１[ＶＴ]は、約１０ｍｓ程である。
【００６５】
制御部8は、表示制御部21を制御してスタンバイ要求を実行させ、液晶表示パネルを非表示状態にさせると共に、スタンバイ要求の１[ＶＴ]後にバックライトを消灯させる。
【００６６】
この一時非表示処理手段によるスタンバイ要求に基づく処理は、液晶表示パネルの残留電荷による画面焼きつきを防ぐために、セルに帯電された電荷を放電させることである。
【００６７】
一時非表示処理手段によりセルに帯電された電荷の放電が完了すると、次に制御部8は、表示制御手段により表示装置4である液晶表示パネルを非表示状態にさせるために表示制御用クロック信号を停止させる。なお、図６（ｂ）に示したクロック停止期間は、ＣＣＤ露光時間Ａとデータ取込時間Ｂの和である。そして、データの取り込みが完了すると、制御部8が表示制御部21を制御してスタンバイ状態の解除要求を実行させる。表示制御部21は、液晶表示パネルを表示させる前段階として一時非表示処理手段により、液晶表示パネルの異常表示を防ぐために、液晶表示パネルの再表示処理を行う。なお、再表示処理に要する処理時間は４[ＶＴ]である。制御部8は、表示制御部21を制御して、再表示処理の完了を受けて液晶表示パネルの表示を再開させると共に、１[ＶＴ]後にバックライトを点灯させる。
【００６８】
この一時非表示処理手段による再表示処理は、液晶表示パネルの残留電荷による異常表示や画面焼きつき又は故障の発生などを防ぐために、液晶表示パネルを再表示させる前段階としてクロックの安定化、通信プロトコルの確立等を行うものである。
【００６９】
このように一時非表示処理手段により表示手段を非表示状態として表示制御用クロックを停止させることにより、撮像素子10がノイズ源の影響を受けないようにすると共に、
一時非表示処理手段により撮像装置1の表示装置4を表示状態から非表示状態とするに際して表示装置4の電源をオフ状態とすることなく電荷放電処理とバックライトの消灯及びクロックの停止のみを行うために、処理時間を短縮することができる。
【００７０】
更に、非表示状態から表示状態とするに際して液晶表示パネルの駆動周波数を高速に切り替えることにより、処理時間を短縮させることができる。
【００７１】
このため、撮影可能状態への復帰を早めることができることにより撮影者に対してタイムラグによるストレスを感じさせない撮像装置1を提供することができる。
【００７２】
また、撮像装置1の表示制御部21により、液晶表示パネルを非表示状態にする前に電荷放電処理を行うことにより、液晶表示パネルにおいて残留電荷による画面焼きつきを防止することができる。
【００７３】
このようにして、内蔵フラッシュメモリ16に記憶したプログラムにより制御部8を制御して分周器20や表示制御部21の動作により、一時非表示処理を行うことにより表示装置4を備えた撮像装置1において、ノイズの少ない、美しい画像データの保存を可能としつつ、撮影者にストレスを感じさせないようにして、素早い連続撮影を可能とすることができる。
【００７４】
なお、本発明は、以上の実施例に限定されるものでなく、発明の要旨を逸脱しない範囲で自由に変更、改良が可能である。
【００７５】
例えば、上記実施形態では、ＣＣＤ露光時間Ａとデータ取込時間Ｂの和をクロック停止期間としたが、ＣＣＤ露光時間Ａとデータ取込時間Ｂのうち、特にノイズが乗りやすい期間だけをクロック停止期間としてもよい。機器によっては、アナログデータを外部に転送する経路でノイズが乗りやすくなるので、データ取込時間Ｂだけをクロック停止期間とすれば、表示オフ期間を長くせずに効果的なノイズ抑制を行うことが可能となる。
【００７６】
また、上記実施形態では、撮影時に液晶表示パネルへの電源を停止することなくクロックだけを停止させたが、クロックを速めることで表示オン／オフ処理を高速に行うことができるので、撮影時に液晶表示パネルへの電源を停止するようにしてもよい。
【００７７】
また、ノイズ抑制を優先して撮影時に液晶表示をオフする動作モードと、撮影時の液晶表示を優先してノイズ抑制を行わない動作モードをユーザーが任意に切り換えられるようにしてもよい。
【００７８】
また、表示オン／オフ処理時に、表示クロックを１５ＭＨｚから３０ＭＨｚに切り換えたが、液晶表示モジュールが許容できる範囲内でより速い周波数に切り換えるようにしてもよい。
【００７９】
また、表示オフ処理時だけクロックを速くするなど、表示オフ処理時と表示オン処理時とで周波数を変えるようにしてもよい。
【符号の説明】
【００８０】
1  撮像装置                                2  レンズユニット
3  フラッシュ                              4  表示装置
5  撮影釦                                  6  方向キー
7  各種釦                                  8  制御部
9  入力装置                                10  撮像素子
11  タイミング生成器                       12  ユニット回路
13  レンズ駆動部                           14  アドレスデータバス
15  記憶装置                               16  内蔵フラッシュメモリ
17  カードインターフェース                 18  メモリカード
19  基本クロック                           20  分周器
21  表示制御部
【図１】
2010288011.tif 000003
【図２】
2010288011.tif 000004
【図３】
2010288011.tif 000005
【図４】
2010288011.tif 000006
【図５】
2010288011.tif 000007
【図６】
2010288011.tif 000008